(57)【要約】  【課題】固形食品が内蔵されたスライディングストローを提供すること。  【解決手段】本発明は、外ストロー１００と、前記外ストロー１００の内側面に水密性を維持するように挿入される内ストロー２００と、前記外ストロー１００の下端部の内側に挿入される水溶性または分散性の固形食品３００と、を備えてなるが、前記内ストロー２００の下端部は前記固形食品３００が挿入される距離に見合う分だけ前記外ストロー１００の下端部から上方に押し上げられており、前記内ストロー２００の上端部は前記外ストロー１００の上端部から所定の距離に見合う分だけ突き出、突き出た前記内ストロー２００の上端部を前記外ストロー１００の内部に押し込めば、前記内ストロー２００の下端部が前記固形食品３００を前記外ストロー１００の外側に押し出すことを特徴とする。  【選択面】図１
2012511991.tif 000002
【特許請求の範囲】
【請求項１】
飲料用ストローにおいて、
外ストロー（１００）と、
前記外ストロー（１００）の内側面に水密性を維持するように挿入される内ストロー（２００）と、
前記外ストロー（１００）の下端部の内側に挿入される水溶性または分散性の固形食品（３００）と、
を備えてなるが、
前記内ストロー（２００）の下端部は、前記固形食品（３００）が挿入される距離に見合う分だけ前記外ストロー（１００）の下端部から上方に押し上げられており、前記内ストロー（２００）の上端部は、前記外ストロー（１００）の上端部から所定の距離に見合う分だけ突き出、突き出た前記内ストロー（２００）の上端部を前記外ストロー（１００）の内部に押し込めば、前記内ストロー（２００）の下端部が前記固形食品（３００）を前記外ストロー（１００）の外側に押し出すことを特徴とする固形食品が内蔵されたスライディングストロー。
【請求項２】
前記外ストロー（１００）の下端部の外周面に外嵌される円筒状の下栓（１１０）がさらに設けられることを特徴とする請求項１に記載の固形食品が内蔵されたスライディングストロー。
【請求項３】
前記外ストロー（１００）の上端部に突き出た前記内ストロー（２００）の上端部を収容し、前記外ストロー（１００）の上端部の外周面に外嵌される円筒状の上栓（１２０）がさらに設けられることを特徴とする請求項１に記載の固形食品が内蔵されたスライディングストロー。
【請求項４】
前記内ストロー（２００）の下端部の外周面が前記内ストロー（２００）の中心軸に向かって内側に凹設された貯蔵溝部（２１０）がさらに設けられ、前記貯蔵溝部（２１０）には水溶性または分散性の粉末や顆粒が内蔵されることを特徴とする請求項１から請求項３のいずれかに記載の固形食品が内蔵されたスライディングストロー。
【請求項５】
前記貯蔵溝部（２１０）は順次多数設けられて、前記内ストロー（２００）の上端部を前記外ストロー（１００）の上端部の内側に押し込む距離に応じて前記貯蔵溝部（２１０）が段階的に前記外ストロー（１００）の下端部の外側に開放されることを特徴とする請求項４に記載の固形食品が内蔵されたスライディングストロー。
【請求項６】
前記内ストロー（２００）の下端部の外周面の一方の側が切欠されて前記外ストロー（１００）の下端部に露出される場合に、スプーン状（２２０）に拡開されることを特徴とする請求項４に記載の固形食品が内蔵されたスライディングストロー。
【請求項７】
前記外ストロー（１００）の所定の区間には外蛇腹（１３０）が設けられ、
前記内ストロー（２００）には前記内ストロー（２００）の上端部が前記外ストロー（１００）の上端部の内側に押し込まれた状態で、前記外蛇腹（１３０）が形成された区間に対応する個所に多数の内蛇腹（２３０）が設けられるが、前記内蛇腹（２３０）は、前記外蛇腹（１３０）が形成された前記外ストロー（１００）区間を上下動可能な最大高さ以下に突き出ていることを特徴とする請求項１から請求項３のいずれかに記載の固形食品が内蔵されたスライディングストロー。
【請求項８】
前記固形食品は、
緑茶、コーヒー、ココア、紅茶、ビタミン、酵母、花粉、酵素、乳酸菌、クロレラ、胚芽、きのこ、冬虫夏草、キトサン、グルコサミン、人参、紅参、ハーブ、カルシウム、セレニウム及びアロエよりなる群から選ばれるいずれか一種以上の成分を含むことを特徴とする請求項１から請求項３のいずれかに記載の固形食品が内蔵されたスライディングストロー。
【発明の詳細な説明】
【技術分野】
【０００１】
本発明は、外ストロー１００と、前記外ストロー１００の内側面に水密性を維持するように挿入される内ストロー２００と、前記外ストロー１００の下端部の内側に挿入される水溶性または分散性の固形食品３００と、を備えてなる固形食品が内蔵されたスライディングストローに関する。
【背景技術】
【０００２】
従来のストローには、折り紙を用いた飾り具を取り付けて審美感を図ったものと、ストローの長さがスライド式で伸びる伸縮ストローと、上部に蛇腹が設けられて曲がるフレキシブルストローと、スラッシュなどの小粒をすくって食べるように下端部にスプーンが設けられたストローなどがある。
【０００３】
この種の従来のストローは、審美感を図ると共に、飲料水を摂取し易くするための補助役割以外の機能を有していないという限界がある。
【０００４】
また、ファストフード店で販売する飲料水はほとんどがソフトドリンクであり、過剰で摂取する場合には肥満をはじめとする各種の成人病の原因となる。
【０００５】
このため、ファストフードまたは炭酸飲料の毒性を中和し、栄養のバランスを維持するために緑茶成分や健康補助食品（ビタミン、キトサン、紅参、カルシウム、セレニウム、乳酸菌など）を別途に摂取することが好ましい。しかしながら、このような緑茶成分や健康補助食品を別途に摂取することは厄介であり、相当の努力を注がない限り、緑茶成分や健康補助食品を正常に摂取することは極めて困難である。
【０００６】
このため、緑茶成分、健康補助食品または摂取しようとする様々な食品を溶媒または分散媒に溶かしたり分散させて摂取を一層簡便化させる手段が望まれ、その手段の一つとして、飲料用ストローを利用する方案が講じられた。
【発明の概要】
【発明が解決しようとする課題】
【０００７】
上述したように、従来のストローの限界点を克服するためになされた本発明の目的は、下記の通りである。
【０００８】
第一に、飲料用ストローの内部に水溶性または分散性の固形食品を内蔵しておき、必要に応じて、溶媒または分散媒に溶かしたり分散させて溶液と一緒に吸い込んで食べる手段を提供することを本発明の目的とする。
【０００９】
第二に、飲料用ストローに貯蔵溝部２１０などの収容空間を一体に設け、これを段階的に開放して収容空間に貯蔵された中身を溶かして溶液と一緒に飲む手段を提供することを本発明の他の目的とする。
【００１０】
第三に、多岐に亘る種類の健康補助食品をストローと一緒に提供してファストフードまたは炭酸飲料の毒性を中和し、栄養のバランスを維持して健康増進に寄与できる手段を提供することを本発明のさらに他の目的とする。
【課題を解決するための手段】
【００１１】
上述した目的を達成するためになされた本発明の構成は、下記の通りである。本発明は、飲料用ストローにおいて、外ストロー１００と、前記外ストロー１００の内側面に水密性を維持するように挿入される内ストロー２００と、前記外ストロー１００の下端部の内側に挿入される水溶性または分散性の固形食品３００と、を備えてなるが、前記内ストロー２００の下端部は前記固形食品３００が挿入される距離に見合う分だけ前記外ストロー１００の下端部から上方に押し上げられており、前記内ストロー２００の上端部は前記外ストロー１００の上端部から所定の距離に見合う分だけ突き出、突き出た前記内ストロー２００の上端部を前記外ストロー１００の内部に押し込めば、前記内ストロー２００の下端部が前記固形食品３００を前記外ストロー１００の外側に押し出すことを特徴とする。
【図面の簡単な説明】
【００１２】
【図１】本発明の好ましい実施形態の斜視図及び断面図である。
【図２】本発明の他の具体的な実施形態の斜視図及び断面図であり、貯蔵溝部２１０が設けられた場合を示している。
【図３】本発明の内ストロー２００の下端部がスプーン状に拡開される場合を示す図である。
【図４】外ストロー１００及び内ストロー２００のそれぞれに外蛇腹１３０および内蛇腹２３０が設けられた場合を示す図である。
【発明を実施するための形態】
【００１３】
以下、添付図面に基づき、本発明の好ましい実施形態を詳細に説明する。
【００１４】
図１は、本発明の好ましい実施形態の斜視図及び断面図である。
【００１５】
本発明好ましい実施形態のスライディングストローは、外ストロー１００の内側に内ストロー２００が挿入されて水密性を維持するが、外ストロー１００の上端部に突き出た内ストロー２００の上端部を押下すると、外ストロー１００の内部に内ストロー２００が押し込まれるようになっている。
【００１６】
換言すると、外ストロー１００及び内ストロー２００は水密性を維持するが、摺動自在に結合される。
【００１７】
固形食品３００は、水溶性または分散性の物質であり、溶媒または分散媒中に溶解若しくは分散されてストローを用いて溶液と一緒に摂取することができる。
【００１８】
ここで、溶媒や分散媒には特に制限がなく、通常、飲用する水や各種の飲料水が使用可能である。
【００１９】
この種の固形食品３００は、その種類に特に制限がなく、溶媒または分散媒中に溶解若しくは分散可能な性質を有していれば固形食品３００として用いられる。
【００２０】
具体的には、固形食品３００は緑茶、コーヒー、ココア、紅茶、ビタミン、酵母、花粉、酵素、乳酸菌、クロレラ、胚芽、きのこ、冬虫夏草、キトサン、グルコサミン、人参、紅参、ハーブ、カルシウム、セレニウム及びアロエよりなる群から選ばれるいずれか一種の成分を含んでいてもよいが、固形食品３００はこれらに限定されるものではなく、様々な種類の食品が固形物として製造されて使用され得る。
【００２１】
この種の固形食品３００は、図１に示すように、前記外ストロー１００の下端部の内側に挿入され、内ストロー２００の下端部は固形食品３００が挿入される距離に見合う分だけ外ストロー１００の下端部から上方に押し上げられる。
【００２２】
また、内ストロー２００の上端部は外ストロー１００の上端部から所定の距離に見合う分だけ突き出る。
【００２３】
このため、突き出た内ストロー２００の上端部を外ストロー１００の内部に押し込めば、内ストロー２００の下端部が固形食品３００を外ストロー１００の外側に押し出し、押し出された固形食品３００は溶媒や分散媒中に溶解若しくは分散される。
【００２４】
下栓１１０は円筒状を呈し、外ストロー１００の下端部の外周面に外嵌され、固形食品３００を一層安全に外ストロー１００の内部に保管すると共に、固形食品３００を外部の汚染から遮断する役割を果たす。
【００２５】
上栓１２０は、図１に示すように、外ストロー１００の上端部に突き出た内ストロー２００の上端部を収容し、外ストロー１００の上端部の外周面に外嵌される。
【００２６】
この状態で、上栓１２０を押下すると、上栓１２０は外ストロー１００の上端部の外周面に沿って下降しつつその内部に収容された内ストロー２００の上端部を外ストロー１００の上端部の内側に押し込むこととなる。
【００２７】
このように下栓１１０および上栓１２０が設けられる場合には、下記の手順に従い固形食品３００を摂取することとなる。
【００２８】
まず、下栓１１０を外し、上栓１２０を押下すると、内ストロー２００の上端部が外ストロー１００の内側に押し込まれつつ内ストロー２００の下端部が外ストロー１００の下端部に挿入されている固形食品３００を外ストロー１００の外側に押し出すこととなる。固形食品３００が外ストロー１００から分離されて排出されると、上栓１２０を外し、固形食品３００が溶解若しくは分散された溶液をストローを用いて摂取すればよい。
【００２９】
図２は、本発明の他の具体的な実施形態の斜視図及び断面図であり、貯蔵溝部２１０が設けられた場合を示している。
【００３０】
貯蔵溝部２１０は、内ストロー２００の下端部の外周面が内側に窪んだ貯蔵空間であり、水溶性または分散性の粉末や顆粒を保管することができる。
【００３１】
この貯蔵溝部２１０が順次多数設けられる場合、内ストロー２００の上端部を外ストロー１００の上端部の内側に押し込む距離に応じて貯蔵溝部２１０が段階的に外ストロー１００の下端部の外側に開放される。
【００３２】
例えば、固形食品３００がコーヒー固形物であり、貯蔵溝部２１０には砂糖粉末が貯蔵される場合、内ストロー２００の上端部が外ストロー１００の上端部に押し込まれることにより、１次的にコーヒー固形物が外ストロー１００の外側に抜け出て水中に溶解され、次いで、砂糖粉末が水中に露出されて溶解される。このため、好みに応じて、ブラックコーヒーを作って飲んでもよく、砂糖入りのコーヒーを作って飲んでもよい。なお、砂糖の量も任意に調節することもできる。
【００３３】
場合によっては、多数の貯蔵溝部２１０に異なる成分の粉末を貯蔵して溶解若しくは分散される粉末の種類を選択してもよい。
【００３４】
例えば、固形食品３００がコーヒー固形物であり、砂糖粉末およびクリーム粉末がそれぞれの貯蔵溝部２１０に保管されている場合に、ユーザーの好みに応じて、砂糖粉末またはクリーム粉末のみを溶解させてコーヒーを調製してもよく、砂糖及びクリーム粉末を両方とも溶解させてコーヒーを調製してもよい。
【００３５】
図３は、本発明の内ストロー２００下端部がスプーン状２２０に拡開される場合を示している。
【００３６】
このように内ストロー２００の下端部が外ストロー１００の下端部に露出されてスプーン状２２０に拡開される場合に、固形食品３００や貯蔵溝部２１０に貯蔵されていた粉末や顆粒を一層速やかに且つ手軽に溶解若しくは分散させることができる。
【００３７】
図４は、外ストロー１００及び内ストロー２００のそれぞれに外蛇腹１３０および内蛇腹２３０が設けられる場合を示している。
【００３８】
外ストロー１００の所定の空間には多数の外蛇腹１３０が設けられる。
【００３９】
内ストロー２００にも内蛇腹２３０が設けられるが、前記内ストロー２００の上端部が前記外ストロー１００の上端部の内側に押し込まれた状態で、前記外蛇腹１３０が形成された区間に対応する個所に多数の内蛇腹２３０が設けられる。
【００４０】
この内蛇腹２３０は、外蛇腹１３０が形成された前記外ストロー１００区間を上下動可能な最大高さ以下に突き出て摺動可能であり、ストローの使用時には内蛇腹２３０及び外蛇腹１３０が重なり合って外ストロー１００と一緒に内ストロー２００を所定の角度で曲げることができる。
【００４１】
上述したように、本発明の具体的な実施形態を参照して本発明の技術的思想を説明したが、本発明の保護範囲がこれらの実施形態にのみ限定されることはなく、本発明の技術的要旨を変更しない範囲内において周知慣用技術の付加や削除、単純な数値限定や設計変更などの場合にも本発明の保護範囲に属することは言うまでもない。
【産業上の利用可能性】
【００４２】
上述した構成の本発明に係る技術効果は、下記の通りである。
【００４３】
第一に、飲料用ストローの内部に内蔵された水溶性または分散性の固形食品を手軽に溶媒または分散媒に溶かしたり分散させて摂取することができる。
【００４４】
換言すると、内ストロー２００の上端部を押下する動作だけで、外ストロー１００の下端部に挿入された固形食品３００を溶媒または分散媒中に入れ、ストローを掻き回して固形食品３００を溶解若しくは分散させた後にストローを用いて溶液を飲めるので、所望の食品を溶液化して一層手軽に摂取することができる。
【００４５】
第二に、飲料用ストローに貯蔵溝部２１０などの収容空間を一体に設け、これを段階的に開放して収容空間に貯蔵された中身を溶かして溶液と一緒に飲むことができる。
【００４６】
換言すると、固形食品３００がコーヒー固形物であり、貯蔵溝部２１０には砂糖粉末が貯蔵される場合に、内ストロー２００の上端部が外ストロー１００の上端部に押し込まれることにより、１次的にコーヒー固形物が外ストロー１００の外側に抜け出て水中に溶解され、次いで、砂糖粉末が水中に露出されて溶解される。このため、好みに応じて、ブラックコーヒーを作って飲んでもよく、砂糖入りのコーヒーを作って飲んでもよい。なお、砂糖の量も任意に調節することができ、場合によっては、多数の貯蔵溝部２１０に異なる成分の粉末を貯蔵して溶解若しくは分散される粉末の種類を選択することもできる。
【００４７】
第三に、多岐に亘る種類の健康補助食品をストローと一緒に提供してファストフードまたは炭酸飲料の毒性を中和し、栄養のバランスを維持して国民健康の増進に寄与することができる。
【００４８】
換言すると、炭酸飲料を飲む場合にも、ストローに内蔵された緑茶固形物を炭酸飲料に分散させて炭酸飲料と一緒に飲むことにより、炭酸飲料の毒性を中和し、栄養のバランスを維持することができる。
【符号の説明】
【００４９】
１００：外ストロー
１１０：下栓
１２０：上栓
１３０：外蛇腹
２００：内ストロー
２１０：貯蔵溝部
２２０：スプーン状
２３０：内蛇腹
３００：固形食品
【図１】
2012511991.tif 000003
【図２】
2012511991.tif 000004
【図３】
2012511991.tif 000005
【図４】
2012511991.tif 000006
【国際調査報告】
2012511991.tif 000007
2012511991.tif 000008